(57)【要約】【課題】傘の平面形状を円形以外に変形でき、しかも閉じた状態にしたときに、親骨の関節を折ることなく親骨を簡単にまとめられるようにする。【解決手段】親骨の少なくとも１本が第１親骨２１と第２親骨２２を備え、第１親骨２１の一方端が上ロクロ１２に揺動可能に取り付けられ、第２親骨２２が第１親骨２１のもう一方端に出入可能に取り付けられている。そして、中棒１１に摺動可能に変形用ロクロ４１が取り付けられ、この変形用ロクロ４１と第２親骨２２の後部とがワイヤ４２で接続されている。変形用ロクロ４１を中棒１１に沿って摺動させることによって、第２親骨２２が第１親骨２１から出入し傘の平面形状が変形する。【選択図】図１
2007130353.tif 000002
【特許請求の範囲】
【請求項１】
中棒と、中棒の上端に固定された上ロクロと、中棒に摺動可能に取り付けられた下ロクロと、上ロクロに揺動可能に一方端が取り付けられた複数の親骨と、この複数の親骨の中途部に一方端が揺動可能に取り付けられ、もう一方端が下ロクロに揺動可能に取り付けられた複数の受骨とを備えた傘であって、
前記親骨の少なくとも１本が第１親骨と第２親骨を備え、第１親骨の一方端が上ロクロに揺動可能に取り付けられ、第２親骨が、第１親骨のもう一方端に出入可能に取り付けられ、第２親骨を第１親骨から出入させることによって、開状態にしたときの平面形状を変形可能としたことを特徴とする傘。
【請求項２】
中棒に摺動可能に変形用ロクロが取り付けられ、この変形用ロクロと第２親骨の後部とが線状部材で接続され、変形用ロクロを中棒に沿って摺動させることによって、第２親骨が第１親骨から出入する請求項１記載の傘。
【請求項３】
第１親骨の中途部に受骨が揺動可能に取り付けられ、第１親骨と第２親骨との間に、第２親骨を外方へ移動させる付勢部材が介装されている請求項１記載の傘。
【請求項４】
第２親骨の中途部に受骨が揺動可能に取り付けられ、受骨の中途部と前記第１親骨の中途部との間に連結骨が揺動可能に取り付けられ、下ロクロの摺動によって第２親骨が第１親骨から出入する請求項１記載の傘。
【請求項５】
中棒と、中棒の上端に固定された上ロクロと、中棒に摺動可能に取り付けられた下ロクロと、上ロクロに揺動可能に一方端が取り付けられた複数の親骨とを備え、
前記親骨の少なくとも１本が第１親骨と第２親骨、第３親骨とを有し、
前記親骨の少なくとも１本が第１親骨と第２親骨とを有し、
前記親骨の少なくとも１本が第１親骨のみを有し、
第１親骨の一方端は上ロクロに枢設され、第１親骨の中途部には、一方端が下ロクロに枢設された受骨の一方端が枢設され、
第１親骨のもう一方端は第２親骨の中途部に枢設され、第２親骨の先端部は第３親骨の中途部に枢設され、第２親骨の後端部は、一方端が受骨の中途部に枢設された第１連結骨に枢設され、第３親骨の後端部は、一方端が第１連結骨の中途部に枢設された第２連結骨に枢設され、
下ロクロを中棒に沿って摺動させて開状態とすると、平面形状が非円形状となることを特徴とする傘。
【発明の詳細な説明】
【技術分野】
【０００１】
本発明は傘に関し、より詳細には平面形状を変形し得る傘に関するものである。
【背景技術】
【０００２】
これまでの傘は、雨傘および日傘を問わず、同じ長さの親骨が中棒を中心として周方向に等角度に取り付けられ、傘を開くとその平面形状は略円形であった。このため、開いた傘の中棒の手元を利用者が持つと、中棒から偏倚した位置に利用者の身体が位置することになり、例えば雨傘の場合には足元や腕、肩、背中などが濡れることがあった。
【０００３】
かかる不具合を防止するためには傘の親骨を長くすることが考えられるが、親骨のすべてを長くすると、例えば傘をさした状態での狭い路でのすれ違いがしにくくなる。また中棒が長くなって傘が重くなるといった不都合が新たに生じるおそれがある。
【０００４】
そこで開いたときの平面形状を楕円形とし、前記不具合を解消しようとした傘がこれまでから種々提案されている（特許文献１〜３）。例えば、上ロクロに補助親骨を回転自在に装着し、この補助親骨に受骨と接続材を介在して親骨を可動するように挿着した傘や、親骨に子骨を関節で接続して親骨の一部を長くできるようにした傘などが提案されている（特許文献３）。
【特許文献１】特開２００３−９９２１号公報
【特許文献２】特開２００３−６１７２３号公報
【特許文献３】特開２００３−３１０３１９号公報
【発明の開示】
【発明が解決しようとする課題】
【０００５】
しかしながら、特許文献１で提案されている傘では、親骨の長さが異なっているため傘を閉じた状態としたときに親骨をまとめにくい。また特許文献２で提案されている傘では、傘を折り畳む際に利用者が関節の所で親骨を折る必要があり面倒である。さらに特許文献３で提案されている傘では、受骨や接続材を用いるため傘を閉じた状態としたときに嵩張ることが予想される。
【０００６】
本発明はこのような従来の問題に鑑みてなされたものであり、その目的とするところは、開いたときの平面形状を変形することができ、しかも閉じた状態にしたときに、親骨の関節を折ることなく親骨を簡単にまとめることができる傘を提供することにある。
【課題を解決するための手段】
【０００７】
本発明によれば、中棒と、中棒の上端に固定された上ロクロと、中棒に摺動可能に取り付けられた下ロクロと、上ロクロに揺動可能に一方端が取り付けられた複数の親骨と、この複数の親骨の中途部に一方端が揺動可能に取り付けられ、もう一方端が下ロクロに揺動可能に取り付けられた複数の受骨とを備えた傘であって、前記親骨の少なくとも１本が第１親骨と第２親骨を備え、第１親骨の一方端が上ロクロに揺動可能に取り付けられ、第２親骨が、第１親骨のもう一方端に出入可能に取り付けられ、第２親骨を第１親骨から出入させることによって、開状態にしたときの平面形状を変形可能としたことを特徴とする傘が提供される。
【０００８】
ここで、第２親骨を第１親骨から出入させる構造として、中棒に摺動可能に変形用ロクロを取り付け、この変形用ロクロと第２親骨の後部とを線状部材で接続し、変形用ロクロを中棒に沿って摺動させることによって、第２親骨を第１親骨から出入させる構造を用いてもよい。
【０００９】
あるいは、第１親骨の中途部に受骨を揺動可能に取り付け、第１親骨と第２親骨との間に、第２親骨を外方へ移動させる付勢部材を介装する構造としてもよい。
【００１０】
さらには、第２親骨の中途部に受骨を揺動可能に取り付け、受骨の中途部と第１親骨の中途部との間に連結骨を揺動可能に取り付け、下ロクロの摺動によって第２親骨を第１親骨から出入させる構造としてもよい。
【００１１】
また本発明によれば、中棒と、中棒の上端に固定された上ロクロと、中棒に摺動可能に取り付けられた下ロクロと、上ロクロに揺動可能に一方端が取り付けられた複数の親骨とを備え、前記親骨の少なくとも１本が第１親骨と第２親骨、第３親骨とを有し、前記親骨の少なくとも１本が第１親骨と第２親骨とを有し、前記親骨の少なくとも１本が第１親骨のみを有し、第１親骨の一方端は上ロクロに枢設され、第１親骨の中途部には、一方端が下ロクロに枢設された受骨の一方端が枢設され、第１親骨のもう一方端は第２親骨の中途部に枢設され、第２親骨の先端部は第３親骨の中途部に枢設され、第２親骨の後端部は、一方端が受骨の中途部に枢設された第１連結骨に枢設され、第３親骨の後端部は、一方端が第１連結骨の中途部に枢設された第２連結骨に枢設され、下ロクロを中棒に沿って摺動させて開状態したときの平面形状が非円形状となることを特徴とする傘が提供される。
【００１２】
なお、本明細書において「中途部」とは、各骨の端部と端部の間の任意の部分をいうものとする。また本明細書において「前」及び「後」とは、各骨の、中棒を中心とする半径方向の外側及び内側を意味する。さらに「外方」とは、中棒を中心とする半径方向の外方を意味する。
【発明の効果】
【００１３】
第１の発明に係る傘では、親骨の少なくとも１本に、第１親骨と第２親骨を備えたものを使用し、第２親骨を、第１親骨の一方端に出入可能に取り付けたので、第２親骨を第１親骨から出入させることによって、開状態にしたときの平面形状を変形できるようになる。これにより、例えば雨傘の場合には足元や腕、肩、背中などが濡れることが有効に防止される。また骨の関節を折ることなく親骨を簡単にまとめることができる。
【００１４】
また第２の発明に係る傘では、複数本の親骨のうち少なくとも１本を第１親骨と第２親骨、第３親骨とからなるものとし、親骨の少なくとも１本を第１親骨と第２親骨とからなるものとし、親骨の少なくとも１本を第１親骨のみからなるものとし、第１親骨の一方端を上ロクロに枢設し、第１親骨の中途部に、一方端が下ロクロに枢設された受骨の一方端を枢設し、第１親骨のもう一方端を第２親骨の中途部に枢設し、第２親骨の先端部を第３親骨の中途部に枢設し、第２親骨の後端部を、一方端が受骨の中途部に枢設された第１連結骨に枢設し、第３親骨の後端部を、一方端が第１連結骨の中途部に枢設された第２連結骨に枢設したので、傘を閉じたときは親骨が同じ長さとなってまとめやすくなる一方、傘を開いたときは、長さの異なる親骨が伸張して傘の平面形状が非円形状となる。これにより、前記と同様に、雨傘の場合には足元や腕、肩、背中などが濡れることが有効に防止される。
【発明を実施するための最良の形態】
【００１５】
以下、本発明に係る傘について図に基づいて説明する。なお本発明はこれらの実施形態に何ら限定されるものではない。
【００１６】
まず第１の発明に係る傘について説明する。図１に、第１の発明に係る傘の一実施形態を示す。図１の傘は、中棒１１の上端部に上ロクロ１２が固定され、下ロクロ１３が中棒１１に摺動可能に取り付けられている。そして下ロクロ１３の下方で、中棒１１に摺動可能に変形用ロクロ４１が取り付けられている。複数本の第１親骨２１の一方端が、上ロクロ１２に周方向に等角度で揺動可能に取り付けられている。一方、第１親骨２１の本数に対応する本数の受骨３１は、その一方端が下ロクロ１３に周方向に等角度で揺動可能に取り付けられ、もう一方端は第１親骨２１の中途部に揺動可能に取り付けられている。これにより、下ロクロ１３を中棒１１の下から上へ移動させると、第１親骨２１は受骨３１によって押し上げられて開状態となり、反対に下ロクロ１３を中棒１１の上から下へ移動させると、第１親骨２１は受骨３１によって引き下げられて閉状態となる。
【００１７】
他方、第１親骨２１には第２親骨２２が出入可能に取り付けられている。具体的には図２に示すように、ステンレス鋼などの金属板を曲げて、両端側間に隙間のある円筒状にした第１親骨２１の内部空間に、樹脂などからなる円柱状の第２親骨２２が出入可能に装入されている。そして、図１に示すように、第２親骨２２の後部にはワイヤ（線状部材）４２が取り付けられ、このワイヤ４２の他端は第１親骨２１の内部空間を内方へ進み、上ロクロ１２と下ロクロ１３を通って変形用ロクロ４１に接続されている。このような構造によって、下ロクロ１３を中棒１１の下から上に移動させて傘を開いた状態とした後、変形用ロクロ４１を中棒１１の下から上に移動させると、第１親骨２１から第２親骨２２が外方へ突出して傘の平面形状が変形する（図１（ｂ））。
【００１８】
傘の変形形状は、突出させる親骨の位置および本数、第２親骨の突出量などによって種々の形状にすることができる。図３に変形例を示す。同図（ａ）は中棒１１を中心として図の下側の親骨を伸ばしたもの、同図（ｂ）も同様に下側の親骨を伸ばしたものであるが、伸ばし方が同図（ａ）とは異なるものである。同図（ｃ）は四方の親骨を伸ばしたものであって、図から理解されるように傘の平面形状は正方形となる。また同図（ｄ）は、親骨のすべてを伸ばしたものであって、傘の平面形状は相似形で大きくなる。
【００１９】
なお、変形用ロクロ４１の中棒１１に沿った移動距離は一定であるから、第２親骨２２の、第１親骨２１からの突出量を異なるようにするには、例えば図４に示すように、第２親骨２２の後端部に、対向する一対の長孔２２１を穿設する一方、ワイヤ４２の先端部にピン４３を取り付け、このピン４３の両端部が長孔２２１内を摺動するようにする。このような構造によれば、変形用ロクロ４１が中棒１１に沿って移動しワイヤ４２が外方に押し出されても、長孔２２１の外側の内端（図の右側端）にピン４３が当接するまでは第２親骨２２は外方へ押し出されない。したがって長孔２２１の長さを調整することにより、第１親骨２１からの第２親骨２２の突出量が調整できる。
【００２０】
親骨に張る傘布は従来公知のものを用いてもよいが、従来の傘布では親骨を収縮させた状態のときに弛んでしまい、外観上及び使用上好ましくない。したがって、この実施形態で使用する傘布としては伸縮性を有するものが望ましい。伸縮性を有し傘布として使用できるものとしては例えば、ポリウレタンやポリエチレン、ポリプロピレンなどのプラスチックフィルムなどが挙げられる。プラスチックフィルムの厚さとしては１０〜５００μｍ程度が好ましい。なお、傘布であることから防水性を備えていることは当然として、さらに紫外線反射性又は紫外線吸収性を備えていることが望ましい。
【００２１】
以上、説明した実施形態では第１親骨２１に第２親骨２２を装入していたが、第２親骨２２に第１親骨２１を装入する形態であってももちろん構わない。また第１親骨２１と第２親骨２２の断面形状は、装入し得る形状であれば特に限定はなく、円形のほか四角形や六角形などであっても構わない。
【００２２】
また、第２親骨２２を第１親骨２１から突出させたときに、各親骨の露先２２０が同一平面上に位置するようにするためには、第２親骨２２の材質として、第１親骨２１よりも可撓性の小さいものが好ましい。
【００２３】
次に、第１の発明に係る傘の他の実施形態を図５に示す。図５の傘も、第１親骨２１から第２親骨２３を出入させるが、出入させる力としてバネ（付勢部材）Ｓを使用する。具体的には、円柱状の第１親骨２１の先端側に、有底円筒状で、押しバネＳが内底面に取り付けられた第２親骨２３が外嵌されている。そして図６（ａ）に示すように、第１親骨２１に取り付けられた下ハジキ５の係止爪５１が、第２親骨２３の係合孔２３１に係合することによって、第２親骨２３は第１親骨２１に収縮した状態で取り付けられている。
【００２４】
傘を変形させるときは、傘が開いている状態で下ハジキ５のボタン５２を押圧する。すると、係止爪５１と係合孔２３１との係合が解除され、第２親骨２３は押しバネＳの付勢力によって外方へ移動する。そして、第２親骨２３の係合孔２３１が、第１親骨２１に取り付けられた係止爪５３と係合することによって第２親骨２３は所定位置で止まる（図６（ｂ））。これにより傘の平面形状は所定形状に変形する。第２親骨２３の突出量は、第２親骨の長さ及び係止爪５３の形成位置によって調整できる。なお、すべての親骨を上記構成とした場合には、必要な親骨の下ハジキ５を利用者が押圧することによって、下ハジキ５が押圧された第２親骨２３だけが突出して、利用者が望む形に傘を変形できるようになる。他方、第２親骨２３を収縮させるときは、利用者が第２親骨２３を押しバネＳの付勢力に抗して内方へ移動させ、第２親骨２３の係合孔２３１を下ハジキ５の係止爪５１に係合させればよい。
【００２５】
親骨に張る傘布としては、前述と同様に、伸縮性を有するものが望ましく、前述のものがここでも例示される。
【００２６】
以上説明した実施形態では、第１親骨２１に第２親骨２３を外嵌させているが、逆に第１親骨２１を筒形状として第２親骨２３をその中に嵌装するようにしても構わない。この場合、押しバネＳは、第２親骨２３の後端面と第１親骨２１の内後面との間に介装する。
【００２７】
図７に、第１の発明に係る傘のさらに他の実施形態を示す。図７の傘は、図１に示した傘と同様に、第１親骨２１は、ステンレス鋼などの金属板を曲げて、両端側間に隙間のある円筒形状にしてなり、この第１親骨２１の内部空間に、樹脂などからなる円柱状の第２親骨２４が出入可能に装入されている。そして第１親骨２１の一方端は、中棒１１の上端部に固定された上ロクロ１２に周方向に等角度で揺動可能に取り付けられている。また中棒１１に摺動可能に取り付けられた下ロクロ１３に、受骨３１の一方端が揺動可能に取り付けられ、受骨３１のもう一方端は第２親骨２４の中途部に揺動可能に取り付けられている。さらに、第１親骨２１の中途部と受骨３１の中途部との間に連結骨３２が揺動可能に接続されている。
【００２８】
このような構造の傘において、下ロクロ１３を中棒１１の下から上へ移動させると（図７（ａ））、受骨３１によって第２親骨２４が押し上げられ、さらに受骨３１と連結骨３２を介して第１親骨２１が押し上げられて傘は開状態となる。このとき受骨３１と連結骨３２のなす角θが大きくなって、第２親骨２４が第１親骨２１から引き出されるようになる。これによって傘の平面形状が変化する（同図（ｂ））。反対に下ロクロ１３を中棒１１の上から下へ移動させると、第２親骨２４は受骨３１によって引き下げられると同時に、受骨３１と連結骨３２の角θが小さくなって第１親骨２１に収納される。そして傘は閉状態となる。このように図７の傘では、傘を開閉する動作に伴って親骨が伸縮するようになるので、これまでに説明した実施形態と異なって、利用者は親骨を伸縮させるための特別の動作を行う必要がない。
【００２９】
親骨に張る傘布は、これまでの実施形態と異なって、従来公知のものを用いてもよい。この実施形態の傘では、傘が開いている状態で親骨を伸縮させることがないので、傘が開いている状態での傘布の弛みを考慮する必要がないからである。もちろん、前記実施形態と同様に、伸縮性を有する傘布を用いても構わない。
【００３０】
また、この実施形態では第１親骨２１に第２親骨２４を装入していたが、第１実施形態の場合と同様に、第２親骨２４に第１親骨２１を装入する形態であってももちろん構わない。また第１親骨２１と第２親骨２４の断面形状は、装入し得る形状であれば特に限定はなく、円形のほか四角形や六角形などであっても構わない。さらに、第２親骨２４を第１親骨２１から突出させたときに、各親骨の露先２２０が同一平面上に位置するようにするためには、第２親骨２４の材質として、第１親骨２１よりも可撓性の小さいものが好ましい。
【００３１】
次に、第２の発明に係る傘について説明する。第２の発明に係る傘の大きな特徴は、第１親骨の長さを同じとして、所定の親骨は第１親骨に第２親骨を接続したものとし、また所定の親骨は第２親骨にさらに第３親骨を接続したものとしたことによって、傘を閉じたときはすべての親骨が同じ長さとなり、傘を開いたときは親骨の長さが異なるようにしたことにある。図８〜図１１に第２の発明に係る傘の一実施形態を示す。
【００３２】
図８は、傘を開いたときの平面形状を示す図である。この図の傘は、長さの異なる六種類の親骨２ａ〜２ｆを備える。親骨２ａは第１親骨２１のみからなる。親骨２ｂと親骨２ｃ、親骨２ｄとは、第１親骨２１と第２親骨２５１，２５２，２５３からなり、これらの親骨２ｂ，２ｃ，２ｄは第２親骨２５１，２５２，２５３の長さがそれぞれ異なっている。そして親骨２ｅと親骨２ｆは、第１親骨２１と第２親骨２４３、第３親骨２６１，２６２とからなり、親骨２ｅと親骨２ｆは、第３親骨２６１，２６２の長さが異なっている。第１親骨２１の長さとしては３０〜３５ｃｍの範囲、第２親骨２ｂ，２ｃ，２ｄの長さとしては５〜３０ｃｍの範囲、第３親骨２ｅ，２ｆとしては１０〜３５ｃｍの範囲が例示される。なお、傘を折り畳んだときに整えやすいようにするため、第２親骨と第３親骨の長さは第１親骨の長さ以下とすることが推奨される。
【００３３】
取り付ける親骨の本数に特に限定はなく、開けたときの傘の平面形状や外形の滑らかさ、傘の重量などから適宜決定すればよい。また部品点数を減らす観点から、第１親骨の長さ、第２親骨の長さ、第３親骨の長さを各親骨において同じとして部品の共通化を図ってもよい。
【００３４】
図９及び図１０に親骨２ａ及び親骨２ｂ，２ｃ，２ｄの構造を示す。図９に示す親骨２ａの構造は従来公知のものと同じであって、第１親骨２１の一方端が上ロクロ１２に枢設され、受骨３１の一方端が下ロクロ１３に枢設され、もう一方端は第１親骨２１の中途部に枢設されている。このような構造において、下ロクロ１３を中軸１１に沿って下・上に移動させことによって、第１親骨２１が揺動して傘が開閉する。
【００３５】
図１０に示す親骨２ｂ，２ｃ，２ｄの構造は、第１親骨２１の一方端が上ロクロ１２に枢設され、もう一方端が第２親骨２５の中途部に枢設されている。また受骨３１の一方端は下ロクロ１３に枢設され、もう一方端は第１親骨２１の中途部に枢設されている。そして第１連結骨３３の一方端が第２親骨２５の後端部に枢設され、もう一方端が受骨３１の中途部に枢設されている。
【００３６】
このような構造において、下ロクロ１３を中軸１１に沿って下から上に移動させると、受骨３１によって第１親骨２１が押し上げられるとともに、前述の連結機構によって第２親骨２５が揺動して外方へ伸展する。反対に、下ロクロ１３を上から下に移動させると、第１親骨２１が引き下げられ、第２親骨２５が内方へ揺動して折り畳まれる。
【００３７】
図１１に親骨２ｅ，２ｆの構造を示す。図１１に示す親骨２ｅ，２ｆの構造は、第１親骨２１と第２親骨２５、受骨３１，第１連結骨３３との連結構造は図１０に示したものと同一である。図１０の連結構造と異なる点は、第２親骨２５に第３親骨２６をさらに連結した点にある。具体的には、第２親骨２５の先端部が第３親骨２６の中途部に枢設され、第３親骨２６の後端部に、第１連結骨３３の中途部に枢設された第２連結骨３４が枢設されている。なお、収納性などの観点から第２連結骨３４としてここではワイヤを用いている。
【００３８】
このような構造において、下ロクロ１３を中軸１１に沿って下から上に移動させると、前述と同様に、受骨３１によって第１親骨２１が押し上げられる。これと同時に、前述の連結機構によって第２親骨２５及び第３親骨２６が揺動して外方へ伸展する。反対に、下ロクロ１３を上から下に移動させると、第１親骨２１が引き下げられ、第２親骨２５及び第３親骨２６が内方へ揺動して折り畳まれる。このようにこの実施形態の傘では、傘を開閉する動作に伴って親骨が伸縮するようになるので、利用者は親骨を伸縮させるための特別の動作を行う必要がない。
【００３９】
親骨に張る傘布としては従来公知のものを用いることができる。この実施形態の傘では、傘が開いている状態で親骨を伸縮させることがないので、傘が開いている状態での傘布の弛みを考慮する必要がないからである。もちろん、前記実施形態と同様に、伸縮性を有する傘布を用いても構わない。伸縮性のある材料としては前記例示のものがここでも使用できる。
【００４０】
なお、親骨２ｅ，２ｆの構造として、第２連結骨３４の後端を、第１連結骨３３の中途部ではなく、第１親骨の中途部に枢設しても構わない。このような構造でも前記と同じ作用効果が得られる。
【００４１】
以上説明した実施形態において、下ロクロ１３は、手動により移動させてもよいし、バネなどによって移動させてもよい。
【図面の簡単な説明】
【００４２】
【図１】第１の発明に係る傘の一実施形態を示す垂直断面図である。
【図２】図１の傘における第１親骨と第２親骨との連結構造を示す斜視図である。
【図３】図１の傘における形状変形例を示す平面図である。
【図４】図１の傘における第２親骨とワイヤとの連結構造を示す図である。
【図５】第１の発明に係る傘の他の実施形態を示す垂直断面図である。
【図６】図５の傘における第１親骨と第２親骨との連結構造を示す断面図である。
【図７】第１の発明に係る傘のさらに他の実施形態を示す垂直断面図である。
【図８】第２の発明に係る傘の一実施形態を示す平面図である。
【図９】図８の傘における第１親骨の連結構造を示す概説図である。
【図１０】図８の傘における第１親骨と第２親骨の連結構造を示す概説図である。
【図１１】図８の傘における第１親骨と第２親骨、第３親骨との連結構造を示す概説図である。
【符号の説明】
【００４３】
１１    中棒
１２    上ロクロ
１３    下ロクロ
２１    第１親骨
２２    第２親骨
２３    第２親骨
２４    第２親骨
２５    第２親骨
２６    第３親骨
３１    受骨
３２    連結骨
３３    第１連結骨
３４    第２連結骨
４１    変形用ロクロ
４２    ワイヤ（線状部材）
２５１，２５２，２５３    第２親骨
２６１，２６２    第３親骨
Ｓ    押しバネ（付勢部材）
【図１】
2007130353.tif 000003
【図２】
2007130353.tif 000004
【図３】
2007130353.tif 000005
【図４】
2007130353.tif 000006
【図５】
2007130353.tif 000007
【図６】
2007130353.tif 000008
【図７】
2007130353.tif 000009
【図８】
2007130353.tif 000010
【図９】
2007130353.tif 000011
【図１０】
2007130353.tif 000012
【図１１】
2007130353.tif 000013